(57)【要約】【課題】従来の技術では編集データをいったんサーバに蓄積するため、別のユーザーが当該編集データを入手するタイミングを特定できない。そのため、例えば編集を行ったユーザーの意図する入手タイミングとずれてしまう、あるいは複数の別のユーザー同士で入手タイミングがずれてしまう、という課題である。そのため、編集済み動画データの内容について前述のようにコミュニケーションをとろうと思っても、相手はそのシーンをまだ見ていないことにもなりかねず、結局は編集済み動画データを共有する意味が半減してしまう。【解決手段】以上の課題を解決するために、本発明は、動画データとは別体の編集データをサーバに蓄積するのではなくメールにて配布することで、動画データの編集後すぐにレスポンスが返るような形態で編集データを別ユーザーに配信することができる動画編集装置を提供する。【選択図】図２
2009124516.tif 000002
【特許請求の範囲】
【請求項１】
動画データを再生装置にて自動編集して視聴させるためのデータである編集データを生成するための編集データ生成部と、
生成した編集データをメール形式で送信するための送信部と、
を有する動画編集装置。
【請求項２】
編集データ生成部は、
動画データのインデックス取得手段と、
取得したインデックスに関連付けて編集処理識別子を編集データに記録する記録手段と、を有する請求項１に記載の動画編集装置。
【請求項３】
インデックス取得手段は動画データの撮影中に付されたインデックスを取得する撮影中インデックス取得器を有する請求項２に記載の動画編集装置。
【請求項４】
送信部は、
編集データをメールに記録するメール記録手段と、
編集データに含まれる編集処理識別子にて識別される編集処理を実行するためのモジュールを取得するためのリンク情報をメールに記録するモジュールリンク情報記録手段とを有する請求項２又は３に記載の動画編集装置。
【請求項５】
編集データ生成部は複数の動画データを再生装置にて自動編集して視聴させるために複数の動画データの結合編集をするためのデータを生成する結合編集データ生成手段を含む請求項１から４のいずれか一に記載の動画編集装置。
【請求項６】
送信部は、編集データを利用して再生すべき一以上の動画を取得するためのリンク情報をメールに記録する動画リンク情報記録手段を有する請求項１から５のいずれか一に記載の動画編集装置。
【請求項７】
編集データ生成部は動画データの部分についてのみの編集データであって、残余の部分についての他の編集データと結合処理をすることで全体の編集データとして利用できる編集データを生成する部分編集データ生成手段を有する請求項１から６のいずれか一に記載の動画編集装置。
【請求項８】
送信部は編集データを送信すべき端末のアドレス情報を取得し、アドレス情報に応じて送信する編集データを部分的に改変する改変手段を有する請求項１から７のいずれか一に記載の動画編集装置。
【請求項９】
編集データ生成部は、ライブカメラ映像の動画に基づいて編集データを生成するライブ編集データ生成手段を有し、
送信部は、ライブ映像の視聴にとって違和感を覚えない程度の短時間のインターバルで繰り返しメールを送信するライブ送信手段を有する
請求項３に記載の動画編集装置。
【請求項１０】
動画データを取得する動画データ取得部と、
編集データを取得する編集データ取得部と、
取得した編集データにて取得した動画データを編集する編集部と、
編集部にて編集された編集済動画データを再生する再生部と、
を有する再生装置。
【請求項１１】
動画データを再生装置にて自動編集して視聴させるためのデータである編集データを生成する編集データ生成ステップと、
生成した編集データをメール形式で送信する送信ステップと、
を計算機に実行させる動画編集方法。
【請求項１２】
動画データを取得する動画データ取得ステップと、
編集データを取得する編集データ取得ステップと、
取得した編集データにて取得した動画データを編集する編集ステップと、
編集部にて編集された編集済動画データを再生する再生ステップと、
を計算機に実行させる再生方法。
【発明の詳細な説明】
【技術分野】
【０００１】
本発明は、再生シーンなどについて任意に編集された動画データを、友人同士などで気軽に共有するための技術に関する。
【背景技術】
【０００２】
例えば、野球中継番組であれば「得点シーンと奪三振シーン」のみ見たい、あるいは結婚式を撮影したホームビデオであれば「イベントのハイライトシーン」のみ見たい、と言った具合に、動画データの全てを見るよりも特定のシーンのみ見たいというユーザー要求が従来からある。そこで、例えば録画者／撮影者などが所望の再生シーンをピックアップして動画データを任意に編集したり、あるいはシーン解析などによって録画／撮影装置が自動的に同様の編集をしたりしていた。
【０００３】
また、そのように任意に編集した動画データを（著作権の範囲内で）友人間などで共有することも行われている。そして、このように編集済みの動画データを共有することで、例えば「○○のホームランは完璧だった」などと動画データに関する共通の話題でコミュニケーションをとり、さらに楽しむこともできる。
【０００４】
ただし、一般的に動画データはデータサイズが大きく、容易に送受信をすることができない。そこで、例えば特許文献１の情報提供システムは、同じ番組を録画するなどして同じ動画データを保有していることを前提に、再生ポイントなどを示す編集データのみをサーバにて蓄積することで、その編集データを（同じ動画データを録画等している）別のユーザーが容易に入手可能となるよう構成している。そして、このような構成をとることで、動画データそのものの共有をせずとも編集済みの動画を気軽に共有することができる、という具合である。
【特許文献１】特開２００３−０１８５１８号公報
【発明の開示】
【発明が解決しようとする課題】
【０００５】
しかし、上記従来の技術には以下のような課題がある。すなわち、編集データをいったんサーバに蓄積するため、別のユーザーが当該編集データを入手するタイミングを特定できない。そのため、例えば編集を行ったユーザーの意図する入手タイミングとずれてしまう、あるいは複数の別のユーザー同士で入手タイミングがずれてしまう、という課題である。
【０００６】
そのため、編集済み動画データの内容について前述のようにコミュニケーションをとろうと思っても、相手はそのシーンをまだ見ていないことにもなりかねず、結局は編集済み動画データを共有する意味が半減してしまう。
【課題を解決するための手段】
【０００７】
以上の課題を解決するために、本発明は、動画データとは別体の編集データをサーバに蓄積するのではなくメールにて配布することで、動画データの編集後すぐにレスポンスが返るような形態で編集データを別ユーザーに配信することができる動画編集装置を提供する。具体的には、動画データを再生装置にて自動編集して視聴させるためのデータである編集データを生成するための編集データ生成部と、生成した編集データをメール形式で送信するための送信部と、を有する動画編集装置である。
【０００８】
また、動画データに編集ポイントの目印となるインデックス情報を付加できるようにすることで、動画データの編集を容易とし、編集データの配信自体をすぐに行えるよう構成した動画編集装置も提供する。具体的には、前記構成を有する動画編集装置であって、さらにその編集データ生成部が動画データのインデックス取得手段と、取得したインデックスに関連付けて編集処理識別子を編集データに記録する記録手段と、を有する動画編集装置である。また、さらにそのインデックス取得手段が動画データの撮影中に付されたインデックスを取得する撮影中インデックス取得器を有する動画編集装置であっても良い。
【０００９】
また、その他にも、編集処理用モジュールをダウンロードするためのリンクを送信メールに記録する機能を備える動画編集装置や、複数の動画データを結合編集する機能を備える動画編集装置、また、それら動画編集装置で編集情報が配信された動画データを再生するための再生装置なども提供する。また、そのような動画編集装置や再生装置による動画編集方法や再生方法なども提供する。
【発明の効果】
【００１０】
以上のような構成をとる本発明によって、動画データとは別体の編集情報をメールにて配布することで、動画データの編集後すぐにレスポンスが返るような形態で編集情報を別ユーザーに配信することができる。また、撮影／録画中に動画データに編集ポイントの目印となるインデックス情報を付加することができる。したがって動画データの編集を容易とし、編集データの配信自体をすぐに行うことができる。
【発明を実施するための最良の形態】
【００１１】
以下に、図を用いて本発明の実施の形態を説明する。なお、本発明はこれら実施の形態に何ら限定されるものではなく、その要旨を逸脱しない範囲において、種々なる態様で実施しうる。
【００１２】
なお、実施例１は、主に請求項１、１１について説明する。また、実施例２は、主に請求項２について説明する。また、実施例３は、主に請求項３について説明する。また、実施例４は、主に請求項４について説明する。また、実施例５は、主に請求項５について説明する。また、実施例６は、主に請求項６について説明する。また、実施例７は、主に請求項７について説明する。また、実施例８は、主に請求項８について説明する。また、実施例９は、主に請求項９について説明する。また、実施例１０は、主に請求項１０、１２について説明する。
【００１３】
≪実施例１≫
<概要>
図１は、本実施例の動画編集装置を利用した動画データの共有の一例を説明するための概念図である。この図１（１）にあるように、まず、ユーザーαが、ＰＣに録画した日本シリーズの動画データに対して、ホームランシーンや奪三振シーンのみをピックアップして編集処理を実行する。すると、図１（２）に示すように、その編集データのみがメールにてαの友人βやγに送信される。そして、図１（３）に示すように、そのメールで送信された編集データを利用し、βやγが自身の端末で録画した同じ日本シリーズの動画データが編集されることで、βやγもすぐにそのホームランシーンや奪三振シーンのみがピックアップされた映像を視聴することが出来る。そして、図１（４）に示すように、例えばインターネットメッセンジャーなどで、その映像について感想を述べ合うなどコミュニケーションをとることができる、という具合である。
【００１４】
<機能的構成>
図２は、本実施例の動画編集装置における機能ブロックの一例を表す図である。この図にあるように、本実施例の「動画編集装置」（０２００）は、「編集データ生成部」（０２０１）と、「送信部」（０２０２）と、を有する。
【００１５】
なお、以下に記載する本動画編集装置や後述する再生装置の機能ブロックは、ハードウェア、ソフトウェア、又はハードウェア及びソフトウェアの両方として実現され得る。具体的には、コンピュータを利用するものであれば、ＣＰＵや主メモリ、バス、あるいは二次記憶装置（ハードディスクや不揮発性メモリ、ＣＤやＤＶＤどの記憶メディアとそれらメディアの読取ドライブなど）、印刷機器や表示装置、その他の外部周辺装置などのハードウェア構成部、またその外部周辺装置用のＩ／Ｏポート、それらハードウェアを制御するためのドライバプログラムやその他アプリケーションプログラム、情報入力に利用されるユーザーインターフェースなどが挙げられる。
【００１６】
そして主メモリ上に展開したプログラムに従ったＣＰＵの演算処理によって、インターフェースを介して入力されメモリやハードディスク上に保持されているデータなどが加工、蓄積されたり、上記各ハードウェアやソフトウェアを制御するための命令が生成されたりする。また、この発明は動画編集装置や再生装置として実現できるのみでなく、方法としても実現可能である。また、このような発明の一部をソフトウェアとして構成することができる。さらに、そのようなソフトウェアをコンピュータに実行させるために用いるソフトウェア製品、及び同製品を記録媒体に固定した記録媒体も、当然にこの発明の技術的な範囲に含まれる（本明細書の全体を通じて同様である）。
【００１７】
「編集データ生成部」（０２０１）は、編集データを生成するための機能を有する。「編集データ」とは、動画データを再生装置にて自動編集して視聴させるためのデータをいい、例えば、動画データ中の再生すべきポイントを示す情報などが挙げられる。
【００１８】
図３は、生成された編集データの一例を表す概念図である。この図にあるように編集データは、まず、編集対象となる動画データを特定するための情報（図では「コンテンツＩＤ」タグで示されるデータ）を含んでいる。具体的には、動画データが放送録画データであれば、例えば「番組名」や「放送時刻」、「放送チャンネル」などの情報が挙げられる。また、動画データがプライベート撮影データであれば、「ファイル名」や「撮影機器名」、「撮影機器識別番号」、「撮影時刻」などの情報が挙げられる。
【００１９】
また編集データには、上記コンテンツＩＤにて特定されたデータに対して実行する編集内容を示す情報（図中の「編集内容」）も含まれている。具体的には、動画データの開始地点からの経過時間によって再生するポイントを示す「開始点」や「終了点」などの情報が挙げられる。また、編集を実行したユーザーが付加した「先頭打者ホームラン」といったコメントなどのシーンタグがさらに付加されていても良い。
【００２０】
そして、このような編集データによって例えば「日本シリーズ第７戦」について、「７分５４秒から９分２１」「４２分１３秒から・・・」といった具合に、所定のシーンをピックアップして再生することができる、という具合である。
【００２１】
また編集情報としては、図に示すような再生ポイントを示す情報のほかにも、例えばビットレートやフレームレート、解像度、明るさ／色調の補正値を示す情報なども含まれていても良い。このような情報を含むことで、例えば携帯端末など再生能力に制限がある端末においても共有動画データのスムーズな再生を行わせることができる。
【００２２】
また、この編集データ生成部による編集データの生成は、例えば以下のようにして行われると良い。すなわち編集データ生成部は「入力デバイス」や編集用アプリケーションによって実現され、ユーザーが入力した再生ポイントなどを示す情報により編集情報を生成する、という具合である。あるいは「ＣＰＵ」などの演算装置と自動編集用アプリケーションによって実現され、ＣＰＵの演算処理によるシーン解析などの結果に基づいて再生ポイントが特定され編集情報を自動生成しても良い。
【００２３】
「送信部」（０２０２）は、生成した編集データをメール形式で送信するための機能を有する。「メール形式で送信」とは、例えば、編集データをメールに添付して送信する形態や、メール本文に編集データを記載する形態などが挙げられる。
【００２４】
図４は、編集データをメールに添付して送信する形態におけるメールのソース例を表す図である。この図にあるように、本実施例の送信部によって、ＸＭＬ（エクステンシブル・マークアップ・ランゲッジ）で作成された「2000_CampionsSeries7」というファイル名の編集データが図中Ａに示しようにＭＩＭＥ方式でテキストに変換され、メールに添付されて、αからβとγに対し送信される、という具合である。
【００２５】
またこの送信部は、例えば図５に示すようなアドレス帳を参照し、その編集データの送信先を特定すると良い。また、その特定はユーザーの選択入力に応じて行っても良いし、例えば図に示すアカウントごとに設定された「タグ」を利用することで半自動的に行っても良い。具体的には、編集データのコンテンツＩＤ「日本シリーズ」やシーンタグ「ホームラン」と、このアカウントタグとをＣＰＵの論理演算処理によって比較し、類義語辞典やタグデータベースなどで「日本シリーズ」や「ホームラン」と関連付けられている「野球」タグが付されているアカウント「β」「γ」をその送信先として特定する、という具合である。
【００２６】
そして、このように編集データがメールにて送信されることで、ユーザーβやγは、すぐにその編集データを利用して編集された動画データを視聴することができる。したがって、略リアルタイムで動画の視聴体験を共有し、チャットルームやメールのやり取りなどでコミュニケーションをとることが出来る。
【００２７】
<ハードウェア構成>
図６は、上記機能的な各構成要件をハードウェアとして実現した際の、動画編集装置における構成の一例を表す概略図である。この図を利用して編集データのメール形式での送信処理におけるそれぞれのハードウェア構成部の働きについて説明する。
【００２８】
この図にあるように、動画編集装置は、編集データ生成部であり、また各種演算処理を行う「ＣＰＵ（中央演算装置）」（０６０１）と、「主メモリ」（０６０２）と、を備えている。また送信部である「通信ＩＦ（インターフェース）」（０６０３）や、動画データやアドレス帳を保持する「ＨＤＤ（ハードディスクドライブ）」（０６０４）や、その他にも「入力デバイス」（０６０５）、「ディスプレイ」（０６０６）なども備えている。そしてそれらが「システムバス」などのデータ通信経路によって相互に接続され、情報の送受信や処理を行う。
【００２９】
また、「主メモリ」にはプログラムが読み出され、「ＣＰＵ」は読み出された当該プログラムを参照することで各種演算処理を実行する。また、この「主メモリ」や「ＨＤＤ」にはそれぞれ複数のアドレスが割り当てられており、「ＣＰＵ」の演算処理においては、そのアドレスを特定し格納されているデータにアクセスすることで、データを用いた演算処理を行うことが可能になっている。
【００３０】
ここで、「ＨＤＤ」に格納されている動画データに対して、「ＣＰＵ」は編集プログラムに従いデコード処理を行い、フレーム画像を生成する。そして、生成したフレーム画像をディスプレイ上にサムネイル表示する。ユーザーは、そのサムネイル画像を見ながらピックアップするシーンの編集ポイントを確認し、「入力デバイス」にて、例えばサムネイルにチェックを入れるなどの操作を行う。
【００３１】
そして「入力デバイス」にて受付けた操作入力によってチャックされたフレームの再生開始位置をピックアップされたシーンの再生開始ポイント１として「主メモリ」のアドレス１に格納する。また、同様に入力されたサムネイルのチェック情報から、ピックアップされたシーンの再生終了ポイント１、次の再生開始ポイント２、といった情報を「主メモリ」のアドレス２，３、・・・に格納する。
【００３２】
その後、例えば「ディスプレイ」に表示されているＧＵＩである「編集データ生成」ボタン押下の操作入力を「入力デバイス」にて受付ける。すると、「ＣＰＵ」は編集プログラムにしたがって、「主メモリ」のアドレス１，２，３、・・・に格納されている動画データの再生開始／終了点情報を利用して、図３に示すような編集データを生成し、「主メモリ」のアドレス４に格納する。
【００３３】
つづいて、「ＨＤＤ」に格納されている図５に示すようなアドレス帳から、例えば「入力デバイス」にて選択入力されたメールアドレスを取得し、「主メモリ」のアドレス５，６、・・・に格納する。そして、そのメールアドレスを送信先とするメールを作成するとともに、「ＣＰＵ」はＭＩＭＥ形式にて「主メモリ」のアドレス４に格納されている編集データをテキストベースのデータに変換し、作成したメールに添付する。そして、その編集データ添付メールを「通信ＩＦ」からメールサーバに送信する、という具合である。
【００３４】
<処理の流れ>
図７は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、編集データ用の入力情報を取得し（ステップＳ０７０１）、その入力情報に基づいて編集データを生成する（ステップＳ０７０２）。つづいて、メールの宛先（メールアドレス）を取得し（ステップＳ０７０３）、取得したアドレス宛に編集データをメール形式で送信する（ステップＳ０７０４）。
【００３５】
<効果の簡単な説明>
以上のように本実施例の動画編集装置によって、生成した編集データをメール形式にて送信することができる。したがって、送信先のユーザーはすぐにその編集データを利用して編集された動画データを視聴することができる。そしてこのように略リアルタイムで動画の視聴体験を共有することで、チャットルームやメールのやり取りなどでコミュニケーションをとることが出来る。
【００３６】
≪実施例２≫
<概要>
本実施例は、上記実施例を基本として、さらに以下のような構成を備える動画編集装置である。すなわち、例えば野球中継である動画シーン中にクロスプレーのシーンがあった。そこで編集を行うユーザーは、そのシーンをピックアップするため上記実施例で説明したように再生開始ポイントと終了ポイントとをインデックス指定する。そして、本実施例ではこのような再生シーンの指定編集に加えて、例えばその編集シーンを「スロー再生で再生する」、あるいは「フレーム内の指定位置を拡大表示する」といった具合に、そのシーンに対する編集内容の指定をさらに行うことができることを特徴とする。
【００３７】
<機能的構成>
図８は、本実施例の動画編集装置における機能ブロックの一例を表す図である。この図にあるように、本実施例の「動画編集装置」（０８００）は、実施例１を基本として「編集データ生成部」（０８０１）と、「送信部」（０８０２）と、を有する。なお、これら構成要件については、上記実施例にてすでに記載済みであるのでその説明は省略する。そして、本実施例の動画編集装置の特徴点は、編集データ生成部が「インデックス取得手段」（０８０３）と、「記録手段」（０８０４）と、をさらに有する点である。
【００３８】
「インデックス取得手段」（０８０３）は、動画データのインデックスを取得する機能を有する。「インデックス」とは、動画データ内の編集点を示す情報をいい、例えば再生開始点／終了点や削除開始点／終了点、あるいはそれらポイントで示されるシーンに付されたシーンタイトルなどのタグ情報が挙げられる。
【００３９】
「記録手段」（０８０４）は、取得したインデックスに関連付けて編集処理識別子を編集データに記録する機能を有する。「編集処理識別子」とは、編集処理に関する識別子をいい、例えば前述のように「スロー再生」、「指定範囲の拡大」などの編集内容を示す識別子が挙げられる。
【００４０】
図９は、この編集処理識別子が記録された編集データの一例を表す概念図である。この図にあるように、編集データの開始点／終了点のインデックスで示される先頭打者ホームランのシーンと関連付けて、「スロー再生」の編集処理識別子が記録されている。そして、このような編集処理識別子が編集データに記録されることで、メールが送信された他のユーザーの再生環境においても、編集ユーザーの意図する編集内容での動画データ再生が実行される、という具合である。したがって、さらに正確に動画データの編集共有を行うことができ、共有動画データを利用したコミュニケーションを楽しむことが出来る。
【００４１】
<処理の流れ>
図１０は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、編集データ用の入力情報として、動画データのインデックスを取得し（ステップＳ１００１）、そのインデックスに関連付けて編集処理識別子を記録した編集データを生成する（ステップＳ１００２）。つづいて、メールの宛先（メールアドレス）を取得し（ステップＳ１００３）、取得したアドレス宛に編集データをメール形式で送信する（ステップＳ１００４）。
【００４２】
<効果の簡単な説明>
以上のように本実施例の動画編集装置によって、動画データ内のインデックスと関連付けて、「スロー再生」などの編集処理識別子を編集データに記録することができる。そのためメール形式の編集データが送信された他のユーザーの再生環境においても、編集ユーザーの意図する編集内容での動画データ再生が実行することができる。そして、さらに正確に動画データの編集共有を行うことができ、共有動画データを利用したコミュニケーションを楽しむことが出来る。
【００４３】
≪実施例３≫
<概要>
本実施例は、上記実施例を基本として、その編集ポイントを示すインデックスの取得タイミングにおいて特徴点を有する。図１１は、本実施例におけるインデックス取得の一例を表す概念図である。この図にあるように、本実施例の動画編集装置では、動画データへのインデックス付加操作を動画データの撮影中（録画中）に受付けることを特徴とする。そして、このように撮影中（録画中）にインデックスの付加を受付けることで、編集データの生成をより素早く実行することが可能となる。したがって、他のユーザーへの編集データの配信を、さらにリアルタイムに近い形で行うことができる。
【００４４】
<機能的構成>
図１２は、本実施例の動画編集装置における機能ブロックの一例を表す図である。この図にあるように、本実施例の「動画編集装置」（１２００）は、実施例２を基本として「編集データ生成部」（１２０１）と、「送信部」（１２０２）と、「インデックス取得手段」（１２０３）と、「記録手段」（１２０４）と、を有する。なお、これら構成要件については、上記実施例にてすでに記載済みであるのでその説明は省略する。そして、本実施例の動画編集装置の特徴点は、インデックス取得手段が「撮影中インデックス取得器」（１２０５）をさらに有する点である。
【００４５】
「撮影中インデックス取得器」（１２０６）は、動画データの撮影中に付されたインデックスを取得する撮影中インデックス取得器を有する。なお「撮影中」とは、動画データを記録媒体に記録している最中である旨を示し、録画中も含まれる。そして、この撮影中インデックス取得器は、例えば従来の「撮影（録画）プログラム」に「編集プログラム」が組み込まれることで、撮影中に「入力デバイス」にて入力されたインデックス付加操作を受付けるよう構成することで実現することができる。そして、このように撮影中にインデックスの付加を受付けることで、編集データの生成をより素早く実行することが可能となる。
【００４６】
<処理の流れ>
図１３は、本実施例の動画編集装置における処理の流れの一例を表すフローチャートである。なお、以下に示すステップは、媒体に記録され計算機を制御するためのプログラムを構成する処理ステップであっても構わない。この図にあるように、動画データの撮影が開始される（ステップＳ１３０１）と、まず、動画データのインデックスの付加操作の受付を開始する（ステップＳ１３０２）。そして、撮影終了（ステップＳ１３０３）までに受付けた撮影中に付されたインデックスを取得し（ステップＳ１３０４）、そのインデックスに関連付けて編集処理識別子を記録した編集データを生成する（ステップＳ１３０５）。つづいて、メールの宛先（メールアドレス）を取得し（ステップＳ１３０６）、取得したアドレス宛に編集データをメール形式で送信する（ステップＳ１３０７）。
【００４７】
<効果の簡単な説明>
以上のように本実施例の動画編集装置によって、撮影中（録画中）にインデックスの付加を受付けて、編集データの生成をより素早く実行することが可能となる。したがって、他のユーザーへの編集データの配信を、さらにリアルタイムに近い形で行うことができる。
【００４８】
≪実施例４≫
<概要>
本実施例は、メール形式にて配信されたデータを受け取った他のユーザーが、その編集データに基づく編集処理を行うためのモジュール（アプリケーション）を容易に入手可能とする機能をさらに備える動画編集装置である。
【００４９】
図１４は、本実施例の動画編集装置によって作成された、編集データを配信するためのメールの一例を表す図である。この図にあるように、メールの例えば本文に、編集再生用のアプリケーション「player.exe」が保持されている場所を示すＵＲＬ（ユニフォーム・リソース・ロケータ）が表記されている。したがって、このメールを受け取ったユーザーは、その編集データに従った動画データの編集、再生ためのアプリケーションを、当該ＵＲＬをクリックして容易に入手することができる、という具合である。
【００５０】
<機能的構成>
図１５は、本実施例の動画編集装置における機能ブロックの一例を表す図である。この図にあるように、本実施例の「動画編集装置」（１５００）は、実施例２を基本として「編集データ生成部」（１５０１）と、「送信部」（１５０２）と、「インデックス取得手段」（１５０３）と、「記録手段」（１５０４）と、を有する。また、実施例３を基本として、図示しない「撮影中インデックス取得器」を有していても良い。なお、これら構成要件については、上記実施例にてすでに記載済みであるのでその説明は省略する。そして、本実施例の動画編集装置の特徴点は、送信部が「メール記録手段」（１５０５）と、「モジュールリンク記録手段」（１５０６）と、をさらに有する点である。
【００５１】
「メール記録手段」（１５０５）は、編集データをメールに記録する機能を有する。なお、編集データのメールへの記録形態については、例えば前述のように、ＭＩＭＥ形式にてテキストデータに変換した編集データを記メール本文に記録する形態や、同様にＭＩＭＥ形式にてテキストデータに変換した編集データをメールに添付記録する形態などが挙げられる。
【００５２】
「モジュールリンク記録手段」（１５０６）は、モジュールを取得するためのリンク情報をメールに記録する機能を有する。「モジュール」とは、編集データに含まれる編集処理識別子にて識別される編集処理を実行するためのアプリケーション（群）をいう。また「モジュールを取得するためのリンク情報」とは、そのモジュールが格納されているネットワーク上の場所をＷＷＷなどのハイパーリンクにて示す情報をいう。そしてこのモジュールリンク記録手段は、例えばＨＤＤなどに記録されているモジュールＵＲＬデータベースから所定のＵＲＬを取得し、そのＵＲＬをメールに記録する、という具合である。また、モジュールは例えばシーンスキップ用モジュール、シーンカット（再エンコード／トランスコード）用モジュール、スローや拡大など各種特殊再生用モジュール、など様々あって良く、例えばモジュールＵＲＬデータベースでは編集データに記録された編集処理識別子に応じて該当するモジュールのＵＲＬを抽出するよう構成しても良い。あるいはそれら全ての機能を備える統合型編集モジュールを用意しておき、常にその統合型編集モジュールが格納されているＵＲＬなどがメールに記録されるよう構成しても良い。
【００５３】
<処理の流れ>
図１６は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、編集データ用の入力情報として、動画データのインデックスを取得し（ステップＳ１６０１）、そのインデックスに関連付けて編集処理識別子を記録した編集データを生成する（ステップＳ１６０２）。
【００５４】
そして編集したデータをメールに記録し（ステップＳ１６０３）、さらに前記編集処理識別子にて識別される編集処理を行うためのモジュールリンクを、そのメールに記録する（ステップＳ１６０４）。つづいて、メールの宛先（メールアドレス）を取得し（ステップＳ１６０５）、取得したアドレス宛に編集データをメール形式で送信する（ステップＳ１６０６）。
【００５５】
<効果の簡単な説明>
以上のように本実施例の動画編集装置によって編集データとともにモジュールリンクが記録されたメールを他のユーザーに配信することができる。したがって、配信先の他のユーザーが適切な編集処理用モジュールを持っていない場合に、アプリケーションであるためデータサイズの大きいくモジュールを直接送らなくとも、モジュールリンクをクリックすることで容易に入手させることができる。
【００５６】
≪実施例５≫
<概要>
本実施例は、上記実施例を基本として、例えば複数台のカメラで撮影した結婚式の動画データを結合する、といった編集を行うための編集データを生成することを特徴とする動画編集装置である。
【００５７】
<機能的構成>
図１７は、本実施例の動画編集装置における機能ブロックの一例を表す図である。この図にあるように、本実施例の「動画編集装置」（１７００）は、実施例１を基本として「編集データ生成部」（１７０１）と、「送信部」（１７０２）と、を有する。また、実施例２，３，４などを基本として図示しない「記録手段」や「インデックス取得手段」、「撮影中インデックス取得器」、「メール記録手段」、「モジュールリンク記録手段」などを有していても良い。なお、これら構成要件については、上記実施例にてすでに記載済みであるのでその説明は省略する。そして、本実施例の動画編集装置の特徴点は、編集データ生成部が「結合編集データ生成手段」（１７０３）をさらに有する点である。
【００５８】
「結合編集データ生成手段」（１７０３）は、複数の動画データを再生装置にて自動編集して視聴させるために複数の動画データの結合編集をするためのデータを生成する機能を有する。「複数の動画データの結合編集」は、例えば２以上の動画データのヘッダなどを書換え、一のファイルとする結合編集処理のほか、２以上のファイルのまま、再生時に連続再生するよう再生アプリケーションを制御する制御命令を編集データに含む処理なども挙げられる。また、この結合編集データ生成手段は、例えば「入力デバイス」にて入力されたユーザーの指定情報を利用して結合すべき動画データ（の編集箇所）などを特定し結合編集データを生成しても良いし、あるいは動画データのタグ情報の同一性などを「ＣＰＵ」にて判断し、その判断結果に応じて自動的に結合すべき動画データを特定し結合編集データを生成しても良い。
【００５９】
そして、このように複数の動画データが結合編集される編集データが生成され、他のユーザーに配信されることで、例えば同一の素材を複数のカメラで撮影した動画データなどをスムーズに編集再生することができる。
【００６０】
<処理の流れ>
図１８は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、結合編集データ用の入力情報を取得し（ステップＳ１８０１）、その入力情報に基づいて結合編集用の編集データを生成する（ステップＳ１８０２）。つづいて、メールの宛先（メールアドレス）を取得し（ステップＳ１８０３）、取得したアドレス宛に編集データをメール形式で送信する（ステップＳ１８０４）。
【００６１】
<効果の簡単な説明>
以上のように本実施例の動画編集装置によって、複数の動画データを結合編集するための編集データを生成し、他のユーザーに配布することが出来る。したがって、例えば同一の素材を複数のカメラで撮影した動画データなどを他のユーザー端末にてスムーズに編集再生させることができる。
【００６２】
≪実施例６≫
<概要>
本実施例は、上記実施例を基本として、編集データを配布するためのメールに、その編集対象である動画データが格納されているＵＲＬなどを記録する機能を備えることで、動画データを容易に入手可能とすることを特徴とする動画編集装置である。
【００６３】
<機能的構成>
図１９は、本実施例の動画編集装置における機能ブロックの一例を表す図である。この図にあるように、本実施例の「動画編集装置」（１９００）は、実施例１を基本として「編集データ生成部」（１９０１）と、「送信部」（１９０２）と、を有する。また、実施例２から５のいずれかを基本として図示しない「記録手段」や「インデックス取得手段」、「撮影中インデックス取得器」、「メール記録手段」、「モジュールリンク記録手段」、「結合編集データ生成手段」などを有していても良い。なお、これら構成要件については、上記実施例にてすでに記載済みであるのでその説明は省略する。そして、本実施例の動画編集装置の特徴点は、送信部が「動画リンク情報記録手段」（１９０３）をさらに有する点である。
【００６４】
「動画リンク情報記録手段」（１９０３）は、編集データを利用して再生すべき一以上の動画を取得するためのリンク情報をメールに記録する機能を有する。「動画を取得するためのリンク情報」とは、その動画が格納されているネットワーク上の場所をＷＷＷなどのハイパーリンクにて示す情報をいう。そしてこの動画リンク情報記録手段は、例えばこの編集ユーザーが動画データを別途サーバ上にアップロードしたのであれば、そのサーバに格納された動画データのＵＲＬを取得し、メールに記録する、という具合である。また、すでにサーバ上に格納され配信されている動画データが（著作権の範囲内での）編集対象であれば、その動画データのＵＲＬを別途取得し、メールに記録するよう構成しても良い。
【００６５】
そして、このようにメールに、その編集対象である動画データが格納されているＵＲＬなどが記録されることで、メールにより編集データを受け取った他のユーザーが動画データを容易に入手することができるようになる。
【００６６】
<処理の流れ>
図２０は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、編集データ用の入力情報を取得し（ステップＳ２００１）、その入力情報に基づいて編集データを生成する（ステップＳ２００２）。つづいて、編集データをメール形式に変換し（ステップＳ２００３）、そのメールに動画リンク情報を記録する（ステップＳ２００４）。つづいてメールの宛先（メールアドレス）を取得し（ステップＳ２００５）、取得したアドレス宛に前記メールを送信する（ステップＳ２００６）。
【００６７】
<効果の簡単な説明>
以上のように本実施例の動画編集装置によって、編集データを配布するためのメールに、その編集対象である動画データが格納されているＵＲＬなどを記録することができる。したがって、そのメールを受け取った他のユーザーは動画データを容易に入手することができる。
【００６８】
≪実施例７≫
<概要>
本実施例は、上記実施例を基本として、さらに複数のユーザーが一の動画データに対してばらばらに編集を行った場合などに、その編集データを統合して一の編集データとして利用することができる機能をさらに備える動画編集装置である。
【００６９】
図２１は、本実施例の動画編集装置による編集データの生成の一例を表す概念図である。この図にあるように、例えばユーザーαは、日本シリーズ第七戦の「ホームランシーン」をピックアップした編集データを生成する。一方、ユーザーβは同じく日本シリーズ第七戦の「奪三振シーン」の編集データを、またユーザーγは「クロスプレーやその他ハイライトシーン」の編集データを生成する。そして、本実施例の動画編集装置はそれぞれの編集データをそれぞれのユーザーに対して送信し、それら複数の編集データを組み合わせることで、全体の編集データとして利用する、という具合である。
【００７０】
<機能的構成>
図２２は、本実施例の動画編集装置における機能ブロックの一例を表す図である。この図にあるように、本実施例の「動画編集装置」（２２００）は、実施例１を基本として「編集データ生成部」（２２０１）と、「送信部」（２２０２）と、を有する。また、実施例２から６のいずれかを基本として図示しない「記録手段」や「インデックス取得手段」、「撮影中インデックス取得器」、「メール記録手段」、「モジュールリンク記録手段」、「結合編集データ生成手段」、「動画リンク情報記録手段」などを有していても良い。なお、これら構成要件については、上記実施例にてすでに記載済みであるのでその説明は省略する。そして、本実施例の動画編集装置の特徴点は、編集データ生成部が「部分編集データ生成手段」（２２０３）をさらに有する点である。
【００７１】
「部分編集データ生成手段」（２２０３）は、動画データの部分についてのみの編集データであって、残余の部分についての他の編集データと結合処理をすることで全体の編集データとして利用できる編集データを生成する機能を有する。具体的には、図４に示すコンテンツＩＤなどを参照することで一の動画データに対する複数の編集データをまとめて全体の編集データとする処理が挙げられる。また、複数の編集データにて開始点などで示される編集シーンが重なった場合は、例えば所定の優先度（例えばユーザーごとに設定されている値など）や、ユーザーの別途選択操作などに応じて使用する編集データを選択可能に構成しても良い。
【００７２】
<処理の流れ>
図２３は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、部分編集データ用の入力情報を取得し（ステップＳ２３０１）、その入力情報に基づいて部分編集データを生成する（ステップＳ２３０２）。つづいて、メールの宛先（メールアドレス）を取得し（ステップＳ２３０３）、取得したアドレス宛に前記メールを送信する（ステップＳ２３０４）。
【００７３】
また、その他のユーザーの生成した残余の部分編集データを取得し（ステップＳ２３０５）、全体の編集データを生成する（ステップＳ２３０６）。
【００７４】
<効果の簡単な説明>
以上のように本実施例の動画編集装置によって、複数のユーザーが一の動画データに対してばらばらに編集を行った場合などに、その編集データを統合して一の編集データとして利用することができる。
【００７５】
≪実施例８≫
<概要>
本実施例は、上記実施例を基本として、例えばβはホームランシーンが好きなのでホームランシーンのみの編集データ、一方γは奪三振シーンが好きなので奪三振シーンのみの編集データ、という具合に、その編集データの送信先に応じて編集データを改変する機能をさらに有する動画編集装置である。
【００７６】
<機能的構成>
図２４は、本実施例の動画編集装置における機能ブロックの一例を表す図である。この図にあるように、本実施例の「動画編集装置」（２４００）は、実施例１を基本として「編集データ生成部」（２４０１）と、「送信部」（２４０２）と、を有する。また、実施例２から７のいずれかを基本として図示しない「記録手段」や「インデックス取得手段」、「撮影中インデックス取得器」、「メール記録手段」、「モジュールリンク記録手段」、「結合編集データ生成手段」、「動画リンク情報記録手段」、「部分編集データ生成手段」などを有していても良い。なお、これら構成要件については、上記実施例にてすでに記載済みであるのでその説明は省略する。そして、本実施例の動画編集装置の特徴点は、送信部が「改変手段」（２４０３）をさらに有する点である。
【００７７】
「改変手段」（２４０３）は、編集データを送信すべき端末のアドレス情報を取得し、アドレス情報に応じて送信する編集データを部分的に改変する機能を有する。具体的に、アドレス情報の取得は、実施例１の送信部にて特定されるアドレス情報を取得するよう構成すると良い。そして、その取得したアドレス情報に応じた編集データの改変処理については、例えば図５に示すアドレス帳にてアドレス情報に関連付けられた「タグ」（友人、仕事、野球など）と、「改変内容」との対応関係を示すテーブルデータを利用して行う方法が挙げられる。
【００７８】
図２５は、そのアドレス情報のタグと、改変内容との対応関係を示す改変テーブルデータの一例を表す図である。この図にあるように、例えばアドレス情報に関連付けられたタグで「バッター」と示されていれば図３に示す編集データのシーンタグで「ホームラン」との文字列を含む編集内容のみを抽出し、編集データとする。あるいは、例えばアドレス情報に関連付けられたタグで「ピッチャー」と示されていれば、図３に示す編集データのシーンタグで「奪三振」との文字列を含む編集内容のみを抽出し、編集データとする。また、例えばアドレスに関連付けられたタグが「ケータイ電話」であれば、その動画データの制限的な再生能力に応じて、「解像度３２０×２４０、ビットレート２５６ｋｂｐｓ」への再エンコード編集処理を行う編集データとする、という具合である。
【００７９】
以上のように、アドレス情報にて識別されるユーザーの属性や端末の性能などに応じて編集データを適宜改変することで、配信先のユーザーにあった形態での動画データの編集再生を行うことができる。
【００８０】
<処理の流れ>
図２６は、本実施例の動画編集装置における処理の流れの一例を表すフローチャートである。なお、以下に示すステップは、媒体に記録され計算機を制御するためのプログラムを構成する処理ステップであっても構わない。この図にあるように、まず、編集データ用の入力情報を取得し（ステップＳ２６０１）、その入力情報に基づいて編集データを生成する（ステップＳ２６０２）。つづいて、アドレス情報を取得する（ステップＳ２６０３）と、その取得したアドレス情報に応じて編集データを改変する（ステップＳ２６０４）。そして、取得したアドレス情報宛に前記改変した編集データをメール形式にて送信する（ステップＳ２６０５）。
【００８１】
<効果の簡単な説明>
以上のように本実施例の動画編集装置によって、アドレス情報にて識別されるユーザーの属性や端末の性能などに応じて編集データを適宜改変することができる。したがって配信先のユーザーにあった形態での動画データの編集再生を行うことができる。
【００８２】
≪実施例９≫
<概要>
本実施例は、上記実施例３を基本として、例えばテレビ会議などのライブ映像に係る動画データを編集配信するシステムにおいて、その編集データのメールでの送信を頻繁に行うことで、ライブ映像の視聴者が違和感を覚えないよう構成された動画編集装置である。
【００８３】
<機能的構成>
図２７は、本実施例の動画編集装置における機能ブロックの一例を表す図である。この図にあるように、本実施例の「動画編集装置」（２７００）は、実施例３を基本として、「編集データ生成部」（２７０１）と、「送信部」（２７０２）と、「インデックス取得手段」（２７０３）と、「記録手段」（２７０４）と、「撮影中インデックス取得器」（２７０５）を有する。なお、これら構成要件については、上記実施例にてすでに記載済みであるのでその説明は省略する。そして、本実施例の動画編集装置の特徴点は、編集データ生成部が「ライブ編集データ生成手段」（２７０６）をさらに有する点と、送信部が「ライブ送信手段」（２７０７）をさらに有する点である。
【００８４】
「ライブ編集データ生成手段」（２７０６）は、ライブカメラ映像の動画に基づいて編集データを生成する機能を有する。具体的な編集データの生成方法は前述のユーザーによる入力情報に基づく編集や、自動編集などさまざまであって良い。ただし、ライブカメラの映像に基づいて編集を行うため、このライブ編集データ生成手段は、略リアルタイムでの編集データを生成することができるよう構成されていると良い。具体的には、例えばユーザーの入力情報の受付をワンクリック（一操作）で可能となるようＧＵＩを構成したり、自動の編集データ生成のためのシーン解析条件を簡略化して高速でシーン解析が可能となるよう構成したりする、という具合である。
【００８５】
「ライブ送信手段」（２７０７）は、ライブ映像の視聴にとって違和感を覚えない程度の短時間のインターバルで繰り返しメールを送信する機能を有する。「ライブ映像の視聴にとって違和感を覚えない程度の短時間のインターバル」とは、例えばユーザーごとに異なるためユーザーごとに設定可能に構成されていても良いし、あるいは一律に３０秒から５分といった間隔で決められていても良い。
【００８６】
そして、このようにライブ映像に基づいて略リアルタイムに生成されたライブ編集データを、短時間のインターバルでライブ送信することで、当該ライブ映像に係る動画データの視聴者は、違和感を覚えずに編集された動画データを視聴することができる。
【００８７】
<処理の流れ>
図２８は、本実施例の動画編集装置における処理の流れの一例を表すフローチャートである。なお、以下に示すステップは、媒体に記録され計算機を制御するためのプログラムを構成する処理ステップであっても構わない。この図にあるように、動画データの撮影が開始される（ステップＳ２８０１）と、まず、動画データのインデックスの付加操作の受付を開始する（ステップＳ２８０２）。そして、操作の受付によって付されたインデックスに関連付けて編集処理識別子を記録することで、ライブ編集データを生成する（ステップＳ２８０３）。つづいて、メールの宛先（メールアドレス）を取得し（ステップＳ２８０４）、ライブ映像の視聴に違和感を覚えない程度の短時間のインターバルで、取得したアドレス宛にライブ編集データをメール形式で送信する（ステップＳ２８０５）。そして、上記処理を撮影終了まで繰り返す（ステップＳ２８０６）。
【００８８】
<効果の簡単な説明>
以上のように本実施例の動画編集装置によって、ライブ映像に基づいて略リアルタイムに生成されたライブ編集データを、短時間のインターバルでライブ送信することができる。したがって当該ライブ映像に係る動画データの視聴者は、違和感を覚えずに編集された動画データを視聴することができる。
【００８９】
≪実施例１０≫
<概要>
本実施例では、上記の動画編集装置によって送信される編集データを利用して動画の編集再生を行う再生装置の構成について説明する。
【００９０】
<機能的構成>
図２９は、本実施例の再生装置における機能ブロックの一例を表す図である。この図にあるように、本実施例の「再生装置」（２９１０）は、「動画データ取得部」（２９１１）と、「編集データ取得部」（２９１２）と、「編集部」（２９１３）と、「再生部」（２９１４）と、を有する。
【００９１】
「動画データ取得部」（２９１１）は、動画データを取得する機能を有する。この動画データ取得部は、例えばチューナやＨＤＤ、録画用アプリケーションなどで実現され、その場合には放送番組などを符号化し録画することで取得することができる。また、通信ＩＦやＨＤＤ、ダウンロードマネージャなどによって実現され、その場合には動画データを格納するネットワーク上のサーバ装置やＰ２接続されたクライアント端末などから当該動画データをダウンロードすることで取得しても良い。
【００９２】
「編集データ取得部」（２９１２）は、上記動画編集装置からメール形式で送信された編集データを取得する機能を有し、例えば通信ＩＦやメールクライアントアプリケーションなどで実現することができる。
【００９３】
「編集部」（２９１３）は、取得した編集データにて取得した動画データを編集する機能を有し、例えば、ＣＰＵや主メモリなどの演算装置と編集処理アプリケーションによって実現することができる。具体的には、例えば編集データ中のコンテンツＩＤ（放送番組であれば、例えば番組名やチャンネルＩＤ、録画時間など、またダウンロードファイルであれば例えばコンテンツ名やＭＤ５ハッシュ値など）で特定される動画データに対し、再生ポイントで示される動画データのみが再生されるよう動画データに対してトランスコードや再エンコード処理を行う、という具合である。あるいは、取得した動画データはそのままとし、動画データの再生時に参照されるタイムコード（再生すべきポイントやスキップすべきポイントをテーブル化した再生進行テーブル）を編集データに基づいて生成しても良い。
【００９４】
「再生部」（２９１４）は、編集部にて編集された編集済動画データを再生する機能を有し、グラフィックアクセラレータやＶＲＡＭ、動画再生用アプリケーションなどで実現することができる。そして、グラフィックアクセラレータの制御によって編集部での編集に基づく動画データの再生が実行され、ディスプレイに表示される、という具合である。
【００９５】
<処理の流れ>
図３０は、本実施例の再生装置における処理の流れの一例を表すフローチャートである。なお、以下に示すステップは、媒体に記録され計算機を制御するためのプログラムを構成する処理ステップであっても構わない。この図にあるように、本実施例の再生装置は、動画データを取得する（ステップＳ３００１）。また、上記動画編集装置からメール形式にて送信された編集データを取得する（ステップＳ３００２）。そして、取得した編集データにて動画データの編集処理を実行し（ステップＳ３００３）、編集済動画データを再生する（ステップＳ３００４）。
【００９６】
<効果の簡単な説明>
以上のように、本実施例の再生装置によって、動画編集装置にてメール形式で送信された編集データを用いて動画データを編集再生することができる。
【図面の簡単な説明】
【００９７】
【図１】実施例１の動画編集装置を利用した動画データの共有の一例を説明するための概念図
【図２】実施例１の動画編集装置における機能ブロックの一例を表す図
【図３】実施例１の動画編集装置の編集データ生成部にて生成された編集データの一例を表す概念図
【図４】実施例１の動画編集装置の送信部より送信されるメールのソース例を表す図
【図５】実施例１の動画編集装置の送信部にて参照されるアドレス帳の一例を表す図
【図６】実施例１の動画編集装置におけるハードウェア構成の一例を表す図
【図７】実施例１の動画編集装置における処理の流れの一例を表すフローチャート
【図８】実施例２の動画編集装置における機能ブロックの一例を表す図
【図９】実施例２の動画編集装置の記録手段にて編集処理識別子が記録された編集データの一例を表す概念図
【図１０】実施例２の動画編集装置における処理の流れの一例を表すフローチャート
【図１１】実施例３の動画編集装置におけるインデックス取得の一例を表す概念図
【図１２】実施例３の動画編集装置における機能ブロックの一例を表す図
【図１３】実施例３の動画編集装置における処理の流れの一例を表すフローチャート
【図１４】実施例４の動画編集装置によって作成された、編集データを配信するためのメールの一例を表す図
【図１５】実施例４の動画編集装置における機能ブロックの一例を表す図
【図１６】実施例４の動画編集装置における処理の流れの一例を表すフローチャート
【図１７】実施例５の動画編集装置における機能ブロックの一例を表す図
【図１８】実施例５の動画編集装置における処理の流れの一例を表すフローチャート
【図１９】実施例６の動画編集装置における機能ブロックの一例を表す図
【図２０】実施例６の動画編集装置における処理の流れの一例を表すフローチャート
【図２１】実施例７の動画編集装置による編集データの生成の一例を表す概念図
【図２２】実施例７の動画編集装置における機能ブロックの一例を表す図
【図２３】実施例７の動画編集装置における処理の流れの一例を表すフローチャート
【図２４】実施例８の動画編集装置における機能ブロックの一例を表す図
【図２５】実施例８の動画編集装置の改変手段にて参照されるアドレス情報のタグと、改変内容との対応関係を示す改変テーブルデータの一例を表す図
【図２６】実施例８の動画編集装置における処理の流れの一例を表すフローチャート
【図２７】実施例９の動画編集装置における機能ブロックの一例を表す図
【図２８】実施例９の動画編集装置における処理の流れの一例を表すフローチャート
【図２９】実施例１０の再生装置における機能ブロックの一例を表す図
【図３０】実施例１０の再生装置における処理の流れの一例を表すフローチャート
【符号の説明】
【００９８】
０２００  動画編集装置
０２０１  編集データ生成部
０２０２  送信部
２９１０  再生装置
２９１１  動画データ取得部
２９１２  編集データ取得部
２９１３  編集部
２９１４  再生部
【図１】
2009124516.tif 000003
【図２】
2009124516.tif 000004
【図３】
2009124516.tif 000005
【図４】
2009124516.tif 000006
【図５】
2009124516.tif 000007
【図６】
2009124516.tif 000008
【図７】
2009124516.tif 000009
【図８】
2009124516.tif 000010
【図９】
2009124516.tif 000011
【図１０】
2009124516.tif 000012
【図１１】
2009124516.tif 000013
【図１２】
2009124516.tif 000014
【図１３】
2009124516.tif 000015
【図１４】
2009124516.tif 000016
【図１５】
2009124516.tif 000017
【図１６】
2009124516.tif 000018
【図１７】
2009124516.tif 000019
【図１８】
2009124516.tif 000020
【図１９】
2009124516.tif 000021
【図２０】
2009124516.tif 000022
【図２１】
2009124516.tif 000023
【図２２】
2009124516.tif 000024
【図２３】
2009124516.tif 000025
【図２４】
2009124516.tif 000026
【図２５】
2009124516.tif 000027
【図２６】
2009124516.tif 000028
【図２７】
2009124516.tif 000029
【図２８】
2009124516.tif 000030
【図２９】
2009124516.tif 000031
【図３０】
2009124516.tif 000032